(57)【要約】【課題】着用者の腰部背面に当てることによって腰曲がりに対する抵抗力を付与することができ、着用が簡単で、着用中に位置ずれを生じることがない、腰曲がり防止用腰当て装具を提供する。【解決手段】着用者の腰部背面の横方向領域を覆う幅寸法と、該腰部背面を臀部から背中下部領域まで覆う高さ寸法を有する、ほぼ矩形形状の弾力性プレートと、該弾力性プレートの片側に設けられ、着用者の着衣のベルトに係合するベルト係合部材とからなり、弾力性プレートを着衣の身体側に配置し、ベルト係合部材を着衣の外側に出し該着衣のベルトに係合させるように構成される腰曲がり防止用腰当て装具。弾力性プレートは、樹脂材料、牛皮等の獣皮、ゴム材料などのより形成される。【選択図】図２
2011019895.tif 000002
【特許請求の範囲】
【請求項１】
腰曲がり防止用腰当て装具であって、
着用者の腰部背面の横方向領域を覆う幅寸法と、該腰部背面を臀部から背中下部領域まで覆う高さ寸法を有する、ほぼ矩形形状の弾力性プレートと、
前記弾力性プレートの片側に設けられ、着用者の着衣のベルトに係合するベルト係合部材と、
からなり、前記弾力性プレートを着衣の身体側に配置し、前記ベルト係合部材を着衣の外側に出し該着衣のベルトに係合させるように構成されたことを特徴とする腰曲がり防止用腰当て装具。
【請求項２】
請求項１に記載した腰曲がり防止用腰当て装具であって、
前記ベルト係合部材は、前記弾力性プレートと一体に形成されたことを特徴とする腰曲がり防止用腰当て装具。
【請求項３】
請求項１に記載した腰曲がり防止用腰当て装具であって、
前記ベルト係合部材は、前記弾力性プレートと別体に形成され、該弾力性プレートに取り外し可能に取り付けられたことを特徴とする腰曲がり防止用腰当て装具。
【請求項４】
請求項３に記載した腰曲がり防止用腰当て装具であって、
前記弾力性プレートには、一方の面に上下方向に開口する係合部材受け孔が形成され、前記ベルト係合部材は、前記係合部材受け孔に挿入される脚部を備えることを特徴とする腰曲がり防止用腰当て装具。
【請求項５】
請求項３に記載した腰曲がり防止用腰当て装具であって、
前記弾力性プレートには、係合部材挿入孔が厚さ方向に貫通して形成され、前記ベルト係合部材は、前記係合部材受け孔に挿入されるピンが形成された脚部を備えることを特徴とする腰曲がり防止用腰当て装具。
【請求項６】
請求項１から請求項５までのいずれか１項に記載した腰曲がり防止用腰当て装具であって、
前記弾力性プレートには、複数の通気孔が厚さ方向に貫通して形成されたことを特徴とする腰曲がり防止用腰当て装具。
【請求項７】
請求項１から請求項６までのいずれか１項に記載した腰曲がり防止用腰当て装具であって、
前記弾力性プレートには、少なくとも着用者の身体側に面する面に布が貼付されたことを特徴とする腰曲がり防止用腰当て装具。
【請求項８】
請求項１から請求項７までのいずれか１項に記載した腰曲がり防止用腰当て装具であって、
前記弾力性プレートには、着用者側の面に、永久磁石片を有する磁気治療具が１個又は複数個、配置されたことを特徴とする腰曲がり防止用腰当て装具。
【請求項９】
請求項１から請求項８までのいずれか１項に記載した腰曲がり防止用腰当て装具であって、
前記弾力性プレートは、樹脂材料、牛皮、ゴムのいずれかにより形成されたものであることを特徴とする腰曲がり防止用腰当て装具。
【請求項１０】
請求項１に記載した腰曲がり防止用腰当て装具であって、
前記ベルト係合部材は、帯状部材を輪状に形成し、リベットにより３６０度回転可能なように前記弾力性部材に取り付けられたことを特徴とする腰曲がり防止用腰当て装具。
【請求項１１】
請求項１に記載した腰曲がり防止用腰当て装具であって、
前記弾力性プレートは、少なくとも１つの側縁がジップファスナーにより閉じられる開口となった袋状布カバー内に収められたことを特徴とする腰曲がり防止用腰当て装具。
【発明の詳細な説明】
【技術分野】
【０００１】
本発明は、腰曲がり防止用腰当て装具に関する。詳細に述べると、本発明は、着用者の腰部背面に当てることによって腰曲がりに対する抵抗力を付与するように構成された腰曲がり防止用腰当て装具に関する。
【背景技術】
【０００２】
近年、腰痛に悩む人は多いが、その原因の１つは、加齢に伴って腰が自然に曲がる傾向を生じることにあると推測される。従来、特許文献１〜４に記載されているように、人の腰部を保護する装具としてコルセットが知られている。これらは、いずれも腰痛症状を発症した人が使用することを目的とするもので、腰痛の発症を予防するために、腰曲がりを抑制する目的で着用されるものではない。また、この種公知のコルセットは、使用するのに不便で、着用感も悪い。
【先行技術文献】
【特許文献】
【０００３】
【特許文献１】特公平３−６５１７８号公報
【特許文献２】特許第２５８５６５６号公報
【特許文献３】特許第２８７０６９１号公報
【特許文献４】特許第３３３７３５８号公報
【発明の概要】
【発明が解決しようとする課題】
【０００４】
本発明は、着用者の腰部背面に当てることによって腰曲がりに対する抵抗力を付与することができ、着用が簡単で、着用中に位置ずれを生じることがない、腰曲がり防止用腰当て装具を提供することを課題とする。
【課題を解決するための手段】
【０００５】
上記課題を解決するため、本発明による腰曲がり防止用腰当て装具は、樹脂材料、牛皮のような獣皮、又はゴム材料の成形により形成されたほぼ矩形形状の弾力性プレートと、ベルト係合部材とから構成される。弾力性プレートは、着用者の腰部背面の横方向領域を覆う幅寸法と、該腰部背面を臀部から背中下部領域まで覆う高さ寸法とを有する。ベルト係合部材は、弾力性プレートの片側に設けられ、着用者の着衣のベルトに係合するベルト係合部を備えることができる。この腰曲がり防止用腰当て装具は、弾力性プレートを着衣の身体側に配置し、ベルト係合部材を着衣の外側に出し、ベルト係合部を該着衣のベルトに係合させるようにして着用される。着用者がベルトを締めると、弾力性プレートが、臀部から背中下部領域まで覆う範囲で着用者の腰部背面に当たり、腰部が前方向に折れ曲がることに対する抵抗を与える。したがって、着用者は、自然に腰を伸ばす習性が付き、腰曲がりが防止される。すなわち、本発明においては、「弾力性」という用語は、着用者の腰部が前方向に折れ曲がることに対する抵抗を与えることができる物理的性質を表す意味で用いる。
【０００６】
ベルト係合部材は、弾力性プレートと一体に形成することができるが、弾力性プレートとは別体に形成して、該弾力性プレートに取り外し可能に取り付けるようにすることもできる。
ベルト係合部材を弾力性プレートと別体に形成する場合には、弾力性プレートには、一方の面に上下方向に開口する係合部材受け孔をもった張り出し部を形成し、ベルト係合部材は、該係合部材受け孔に挿入される脚部を形成して、該脚部を係合部材受け入れ孔に挿入することにより、樹脂プレートに結合する構成とすることができる。別の形態においては、弾力性プレートに、係合部材挿入孔を厚さ方向に貫通して形成し、ベルト係合部材は、係合部材受け孔に挿入されるピンが形成された脚部を形成して、該ピンを弾力性プレートの係合部材受け孔に挿入することにより、弾力性プレートに結合するようにすることができる。いずれの場合にも、ベルト係合部材は、弾力性プレートの幅方向中央部に配置することが好ましく、また、弾力性プレートの幅方向の複数個所に配置することもできる。ベルト係合部材は又、予めループ状又は輪状に形成し、その一端部を弾力性プレートにリベット止めする構成とすることもできる。この構成の場合には、ループ状又は輪状のベルト係号部材は、弾力性プレートに対し、３６０度回転するように取り付けることもできる。さらに、ベルト係合部材は、ポリプロピレンのような樹脂材料の帯状部品の形態に形成し、該帯状部品の一端を弾力性プレートに結合し、帯状部品の中間部に幅方向に薄肉部を形成して折り曲げ部とし、該帯状部品を薄肉部において内向きに折り曲げてベルトを通すループ部とすることもできる。
【０００７】
弾力性プレートには、複数の通気孔を厚さ方向に貫通して形成することが望ましい。また、弾力性プレートには、少なくとも着用者の身体側に面する面に布を貼付して着用時の感触を改善することが望ましい。弾力性プレートは、ファスナー付きの袋状の布カバーに収めるようにすることができる。弾力性プレートが牛皮その他の獣皮或いはゴム材料により形成される場合には、特に外観上の観点から、布カバーに収めることが好ましい。
【０００８】
さらに、樹脂プレートには、着用者側の面に、永久磁石片を有する磁気治療具を１個又は複数個、適当な位置に配置することができる。
【発明の効果】
【０００９】
本発明による腰曲がり防止用腰当て装具は、樹脂プレートを着衣の身体側に配置し、ベルト係合部材を着衣の外側に出し、ベルト係合部を該着衣のベルトに係合させるようにして着用されるので、着用が容易である。さらに、弾力性プレートは、ベルト係合部が着衣のベルトに係合して該ベルトにより保持されるので、使用中に位置ずれを生じる恐れがない。また、ベルトを締めた状態では、弾力性プレートが、臀部から背中下部領域まで覆う範囲で着用者の腰部背面に当たり、腰部が前方向に折れ曲がることに対する抵抗を与えるので、腰部の前曲がりを防止でき、腰痛の予防に効果がある。また、弾力性プレートに、永久磁石片を有する磁気治療具を配置した構成により、さらに腰痛防止効果が高められる。
【図面の簡単な説明】
【００１０】
【図１】本発明の一実施形態による腰曲がり防止用腰当て装具をズボンに取り付けた状態を示す側面図である。
【図２】本発明の一実施形態による腰曲がり防止用腰当て装具の構成を示すもので、（ａ）は樹脂プレートを背面からみた背面図、（ｂ）は（ａ）のＢ−Ｂ線における断面図、（ｃ）は（ａ）のＣ−Ｃ線における断面図である。
【図３】図２に示す実施形態の装具において使用されるベルト係合部材を示すものであって、（ａ）は正面図、（ｂ）は側面図、（ｃ）は背面図である。
【図４】本発明の第二の実施形態による腰曲がり防止用腰当て装具の構成を示すもので、（ａ）は樹脂プレートを背面からみた背面図、（ｂ）は（ａ）のＢ−Ｂ線における断面図、（ｃ）は（ａ）のＣ−Ｃ線における断面図である。
【図５】図４に示す実施形態において使用される布の展開図である。
【図６】本発明の第三の実施形態による腰曲がり防止用腰当て装具の構成を示すもので、（ａ）は樹脂プレートを背面からみた背面図、（ｂ）は（ａ）のＢ−Ｂ線における断面図、（ｃ）は（ａ）のＣ−Ｃ線における断面図である。
【図７】図６に示す実施形態の装具において使用されるベルト係合部材を示すものであって、（ａ）は正面図、（ｂ）は側面図である。
【図８】ベルト係合部材が樹脂プレートと一体に形成された本発明の第四の実施形態によるよる腰曲がり防止用腰当て装具の構成を示すもので、（ａ）は樹脂プレートを背面からみた背面図、（ｂ）は正面図、（ｃ）は（ｂ）のＣ−Ｃ線における断面図、（ｄ）は一部を断面で示す平面図である。
【図９】ベルト係合部材の別の例を示す断面図である。
【図１０】ベルト係合部材のさらに別の例を示す断面図である。
【図１１】弾力性プレートをファスナー付きの袋状布カバーに収めた実施形態を示す正面図である。
【図１２】図１１に示す実施形態の断面図である。
【発明を実施するための形態】
【００１１】
以下、本発明の実施形態を、図を参照して説明する。
【００１２】
先ず、図２及び図３を参照すると、本発明の一実施形態による腰曲がり防止用腰当て装具は、弾力性プレートとして、ほぼ矩形形状に形成された弾力性のある樹脂プレート１を有し、該樹脂プレート１にベルト係合部材３が取り付けられる。樹脂プレート１は、ポリプロピレン樹脂、高圧ポリエチレン樹脂、ＥＶＡ樹脂等により薄板状に成形された構成であり、横方向の幅寸法Ｗは、着用者の腰部背面の横方向領域を覆うことができる大きさであり、縦方向の高さ寸法Ｈは、着用者の腰部背面を臀部から背中下部領域まで覆う大きさである。樹脂プレート１は、少なくとも縦方向の軸線まわりに弾性的に湾曲させることができる厚さに形成される。
【００１３】
図３は、ベルト係合部材３の形状を示すもので、該ベルト係合部材３は、矩形形状のベルト係合部３ａと、折れ曲がり部３ｂを介して該ベルト係合部３ａと一体に形成された脚部３ｃとを有する。ベルト係合部材３は、樹脂プレート１と同じ樹脂材料により形成しても良いが、異なる樹脂材料により形成することもできる。脚部３ｃは、ベルト係合部３ａより幅が狭く、該ベルト係合部３ａの下端縁を越えて下方に延びる。脚部３ｃの下端には、戻り止めのための係止爪３ｄが形成されている。ベルト係合部３ａには、幅方向に間隔をもって２個の矩形形状ベルト通し孔３ｅが形成されている。なお、ベルト係合部３ａは、フック状にベルトに掛けられる構成とすることにより、ベルト通し孔３ｅを省略することもできる。
【００１４】
樹脂プレート１は、背面側の横方向に間隔をもった３個所に、ベルト係合部材３を取り付けるための係合部材取付部１ａが形成されている。各々の係合部材取付部１ａは、樹脂プレート１と一体に形成された、浅い「コ」字型の張り出し部１ｂにより形成される。図２に示す実施形態では、各々の係合部材取付部１ａに、上下に間隔をもって２個の張り出し部１ｂが形成される。図２（ｂ）に示すように、張り出し部１ｂは、上下方向に開口する浅い矩形形状の係合部材受け孔１ｃを形成する。図２（ａ）（ｃ）に示すように、ベルト係合部材３の脚部３ｃが、この係合部材受け孔１ｃに上方から挿入される。挿入状態で、ベルト係合部材３の脚部３ｃの下端に形成された係止爪３ｄが下方の張り出し部１ｂの下縁に係合する。この係合によって、ベルト係合部材３が抜け落ちるのを防止できる。
【００１５】
図１は、本発明による腰曲がり防止用腰当て装具を着用者のズボンに取り付けた状態を示すものである。通常の形態に形成されたズボン５は、ベルト７を有する。腰曲がり防止用腰当て装具は、樹脂プレート１がズボン５の内側に位置し、ベルト係合部材３がズボン５の外側に位置するように置かれる。ベルト７は、ベルト係合部材３のベルト係合部３ａに形成された２個の矩形形状ベルト通し孔３ｅに通される。図２（ａ）に示す例では、ベルト係合部材３は、樹脂プレート１の幅方向中央に配置された係合部材取付部１ａにのみ取り付けられているが、両側の係合部材取付部１ａにも同様にベルト係合部材３を取り付けることができ、その場合には、ベルト７は、これらのベルト係合部材３のベルト通し孔３ｅにも通される。
【００１６】
なお、図２に示す実施形態においては、樹脂プレート１の全体にわたり、通気孔１ｄが均一な間隔で形成されている。この通気孔１ｄは、着用時の蒸れ防止に効果がある。さらに着用性を改善するために、樹脂プレート１には、少なくとも着用者に面する側である正面側に、好ましくは正面側及び背面側の両方に、不織布等の布９が貼付される。図５は、樹脂プレート１の正面側及び背面側の両方に貼付される布９の展開図であり、係合部材取付部１ａに対応する位置には矩形形状の切り欠き９ａが形成される。
【００１７】
図６は、本発明のさらに別の実施形態を示すもので、図２の実施形態と同様の構造部分は同一の符号に「１０」を付加した符号により示し、詳細な説明は省略する。この実施形態は、図７に示すベルト係合部材１３を使用する。このベルト係合部材１３は、樹脂製の細長い帯状部品からなり、一端部には段状に凹んで取付用脚部１３ａが形成されている。この取付用脚部１３ａには帯状部品の幅方向に並んで２個のピン１３ｂが突出形成されている。また、ベルト係合部材１３の帯状部品には、一対のヒンジ溝１３ｃが長さ方向に間隔をもって形成されている。このヒンジ溝１３ｃは、該ヒンジ溝１３ｃを外側にしてベルト係合部材１３を屈曲させることができるようにするものである。
【００１８】
図６を参照すると、この実施形態における樹脂プレート１１は、幅方向に間隔をもって複数の取付台１１ａが背面側に突出して形成されている。この取付台１１ａには、ベルト係合部材１３に形成された一対のピン１３ｂに対応するする位置に、一対の係合部材挿入孔１１ｂが形成されている。ベルト係合部材１３は、図６（ｃ）に示すようにヒンジ溝１３ｃにおいて帯状部品を屈曲されて輪状にし、ピン１３ｂをこの係合部材挿入孔１１ｂに挿入することにより樹脂プレート１１に取り付けられる。図６（ｃ）から分かるように、ベルト係合部材１３は、ベルト７を通す孔を形成する。
【００１９】
図８は、本発明のさらに別の実施形態を示すもので、図２の実施形態と同様の構造部分は同一の符号に「２０」を付加した符号により示し、詳細な説明は省略する。この実施形態は、ベルト係合部材２３を樹脂プレート２１の背面側に該樹脂プレート２１と一体に形成した構造を有する。樹脂プレート２１には、さらに、背面側に複数の縦方向溝２４が形成されるが、これは、樹脂プレート２１を曲げ易くするためのものである。ベルト係合部材２３には、横方向に間隔をもってベルト通し孔２３ａが２個形成されている。
【００２０】
この実施形態では、図８（ｂ）に示すように、樹脂プレート２１の着用者側の面に、永久磁石片３０ａを有する磁気治療具３０を、適当な個所に配置して樹脂プレート２１に貼り付けることができる。この磁気治療具３０は、着用者の腰部に磁気を作用させることにより、腰痛防止効果をさらに高めるものであり、図２なし図７に示す実施形態における樹脂プレートにも同様に配置することができる。
【００２１】
本発明において、弾力性プレートは、牛皮のような獣皮又はゴム材料により形成することもできる。弾力性プレートを獣皮により形成する場合には、材料は、引張強さが２．５ｋｇ／ｍｍ2以上で、伸び率が、２０ｋｇ／ｍｍ2の荷重のもとで１６％以下のものが好ましいが、これに限ることはない。弾力性プレートを獣皮又はゴム材料により形成する場合には、着用者の腰部が前方向に折れ曲がることに対する抵抗を与えるのに十分な弾力性がえられるように、材料を選択し、厚さ等の寸法を決定する。
【００２２】
図９は、ベルト係合部材の他の実施形態を示す断面図である。この実施形態によるベルト係合部材は、弾力性プレートを牛皮のような獣皮又はゴム材料により形成する場合に用いるのに適しているが、プラスチック材料のような他の材料により形成された弾力性プレートに用いてもよい。
図９を参照すると、牛皮により形成された弾力性プレート４１の選定された個所にベルト係合部材４３が取り付けられる。ベルト係合部材４３は、細長い帯状部材４５をループ状又は輪状にして両端部を縫製、接着等の適当な手段により互いに接合した構成である。この輪状に形成された帯状部材４５は、端部４５ａにおいてリベット４７により弾力性プレート４１に取り付けられる。リベット４７のかしめ端部４７ａと帯状部材４５の端部４５ａとの間には、ワッシャー４９が配置される。この取付構造によれば、ベルト係合部材４３は、弾力性プレート４１に対して３６０度回転可能であり、使用に際しての自由度が高まる。この実施形態においては、帯状部材４５は、獣皮、ゴム又は布により形成すればよい。リベット４７は、アルミニウム合金リベット又は銅合金リベットが好ましい。
【００２３】
図１０に、ベルト係合部材のさらに他の実施形態を示す。この実施形態においては、ベルト係合部材５３は、ポリプロピレン樹脂のような樹脂材料により形成され、牛皮のような獣皮により形成された弾力性プレート５１に、リベット５７により取り付けられる。ベルト係合部材５３は、細長い帯状樹脂板５５からなり、一端部５５ａにおいて、リベット５７により弾力性プレート５１に取り付けられる。帯状樹脂板５５は、中間部に薄肉部５５ｂを有し、この薄肉部５５ｂにおいて内向きに折り曲げられ、折り曲げられた端部５５ｃが、弾力性プレート５１の面に沿って配置される。
【００２４】
図１１及び図１２に、本発明のさらに他の実施形態を示す。弾力性プレートを獣皮やゴム材料により形成すると、色調が限られて見栄えが良くない場合もあるので、この実施形態では、弾力性プレート６１を通気性の良い袋状布カバー６３内に収める。布カバー６３は、少なくとも一つの側縁６３ａが開いた構造であり、この開いた側縁６３ａがジップファスナー６５により閉じられる。布カバー６３には、弾力性プレート６１に設けられるベルト係合部材６７を通すための開口６９が形成される。
【符号の説明】
【００２５】
１、１１、２１・・・樹脂プレート
１ａ・・・係合部材取付部
１ｂ・・・張り出し部
１ｃ・・・係合部材受け孔
１ｄ・・・通気孔
３、１３、２３・・・ベルト係合部材
３ａ・・・ベルト係合部
３ｃ・・・脚部
３ｅ・・・ベルト通し孔
５・・・ズボン
７・・・ベルト
３０・・・磁気治療具
【図１】
2011019895.tif 000003
【図２】
2011019895.tif 000004
【図３】
2011019895.tif 000005
【図４】
2011019895.tif 000006
【図５】
2011019895.tif 000007
【図６】
2011019895.tif 000008
【図７】
2011019895.tif 000009
【図８】
2011019895.tif 000010
【図９】
2011019895.tif 000011
【図１０】
2011019895.tif 000012
【図１１】
2011019895.tif 000013
【図１２】
2011019895.tif 000014